(57)【特許請求の範囲】
【請求項１】
複数のガスバーナの各々について押し操作によりガスバーナの点火及び消火を行う点消火ボタンを備え、消火状態から点消火ボタンを押し込むことにより制御部への通電が開始されると共に、電磁安全弁の弁体を押して開弁させてガスバーナへの点火を行い、点火後は弁体を電磁石により開弁状態で保持し、点消火ボタンは手前側の燃焼位置までバネ力によって戻され、その戻された燃焼位置から再度点消火ボタンを押し込むことによってガスバーナを消火するガスコンロ装置において、点消火ボタンを押し込んでガスバーナに点火した後、点消火ボタンが燃焼位置まで戻らないことにより、点消火ボタンを押し込んでもガスバーナが消火しない状態になった場合に、そのガスバーナを強制的に消火させるスイッチを備え、このスイッチを押し操作することによって、そのガスバーナが消火された後は、点消火ボタンを押し込んでも消火しない状態になったガスバーナ以外のガスバーナが直ちに点火可能状態に戻ることを特徴とするガスコンロ装置。
【請求項２】
上記点消火ボタンは円筒形状で有り、筒状のガイドによって前後に移動するように保持されていることを特徴とする請求項１に記載のガスコンロ装置。
【請求項３】
上記スイッチは通常は他の操作をするために設けられたものであり、通常の操作をする際の操作とは別の操作をそのスイッチに行うことによりガスバーナを強制的に消火させる機能を奏するように設定されていることを特徴とする請求項１または請求項２に記載のガスコンロ装置。
【発明の詳細な説明】
【技術分野】
【０００１】
本発明は、押し込むことによりガスバーナの点火を行い、再度押し込むことによりガスバーナを消火させる点消火ボタンを備えたガスコンロ装置に関する。
【背景技術】
【０００２】
ガスコンロの前面パネルに前後方向に移動自在な点消火ボタンを備え、この点消火ボタンを押し込むことによりガスバーナに点火し、押し込んだ状態から手を離すとバネによる付勢力で手前側の燃焼位置まで戻った状態でガスバーナの燃焼が維持され、さらに、その燃焼位置から再度押し込むことによってガスバーナが消火するように構成されたものが知られている（例えば、特許文献１参照）。
【０００３】
このものでは、点消火ボタンは円筒形状をしており、円筒状のガイド部材に嵌合し、このガイド部材の円筒面に沿って前後に移動するように構成されている。
【０００４】
なお、点消火ボタンが点火のため押し込まれると、電磁安全弁の弁体が強制的に開弁されて電磁石に押し付けられる。また、点消火ボタンが点火のため押し込まれたことを制御部が検知して電磁安全弁の電磁石に電流を流して弁体を開弁状態に吸着保持するが、乾電池を電源とするガスコンロ装置では制御部に常時通電しておくと電池の消耗が激しいので、点消火ボタンが押し込まれることにより制御部への通電が開始され、消火のために再度点消火ボタンが押し込まれたことによって制御部への通電が停止するように構成されている。そのためこのような乾電池を電源とするガスコンロ装置には外部から操作できる電源スイッチが設けられていない。
【先行技術文献】
【特許文献】
【０００５】
【特許文献１】特開平６−５８５３５号公報（段落００１１，図１）
【発明の概要】
【発明が解決しようとする課題】
【０００６】
特に乾電池を電源とするガスコンロ装置のように外部から操作する電源スイッチを備えていないものでは、点消火ボタンを押し込んでガスバーナに点火した後、点消火ボタンから手を離しても、点消火ボタンが手前の燃焼位置まで戻らなくなってしまった場合、その状態からではいくら点消火ボタンを押し操作してもガスバーナを消火できなくなるという不具合が生じる。
【０００７】
特に点消火ボタンが円筒形状をしており同じく円筒状のガイドによってガイドされている場合には、点消火ボタンとガイドとの間に煮こぼれが進入してその煮こぼれの粘度が増加すると点消火ボタンの動きが悪くなり、点火位置から燃焼位置まで戻る途中で点消火ボタンが動かなくなるおそれが高い。
【０００８】
なお、特開２００５-２４９３６９号公報には、別途の全消火ボタンを設けて、その全消火ボタンを押すと、複数あるガスバーナのすべてが直ちに消火するものが示されているが、このものでは消火後にすべてのガスバーナについての火力調節部を消火位置に戻した後でなければ燃焼を開始することができない。
【０００９】
従って、このような全消火ボタンを適用した場合、ガスバーナを消火することはできるが、消火した後、複数のガスバーナの点消火ボタンを最初の消火位置に戻さなければすべてのガスバーナに点火することができない。ところが、点消火ボタンが煮こぼれなどによって途中で止まってしまったものは、最初の消火位置まで点消火ボタンを戻すことができないので、残りの正常なガスバーナについても燃焼を再開できなくなるという不具合が生じる。
【００１０】
そこで本発明は、上記の問題点に鑑み、上述のような不具合が生じないガスコンロ装置を提供することを課題とする。
【課題を解決するための手段】
【００１１】
上記課題を解決するために本発明によるガスコンロ装置は、複数のガスバーナの各々について押し操作によりガスバーナの点火及び消火を行う点消火ボタンを備え、消火状態から点消火ボタンを押し込むことにより制御部への通電が開始されると共に、電磁安全弁の弁体を押して開弁させてガスバーナへの点火を行い、点火後は弁体を電磁石により開弁状態で保持し、点消火ボタンは手前側の燃焼位置までバネ力によって戻され、その戻された燃焼位置から再度点消火ボタンを押し込むことによってガスバーナを消火するガスコンロ装置において、点消火ボタンを押し込んでガスバーナに点火した後、点消火ボタンが燃焼位置まで戻らないことにより、点消火ボタンを押し込んでもガスバーナが消火しない状態になった場合に、そのガスバーナを強制的に消火させるスイッチを備え、このスイッチを押し操作することによって、そのガスバーナが消火された後は、点消火ボタンを押し込んでも消火しない状態になったガスバーナ以外のガスバーナが直ちに点火可能状態に戻ることを特徴とする。
【００１２】
上記スイッチを押し操作することによって例えば電磁安全弁の電磁石への通電を停止してガスバーナを消火すれば、その後は他のガスバーナは再点火することができる。一方、押し込んでも戻らなくなった点消火ボタンは再度押し込んでもガスバーナに点火されないので、そのガスバーナだけが使用不能となる。
【００１３】
なお、上記点消火ボタンは円筒形状で有り、筒状のガイドによって前後に移動するように保持されている場合には特に点消火ボタンが戻りにくくなりやすいので、上記本発明が有効である。
【００１４】
なお、上記スイッチとして専用のものを設けてもよいが、上記スイッチは通常は他の操作をするために設けられたものであり、通常の操作をする際の操作とは別の操作をそのスイッチに行うことによりガスバーナを強制的に消火させる機能を奏するように設定してもよい。
【発明の効果】
【００１５】
以上の説明から明らかなように、本発明は、電源スイッチを備えていないガスコンロ装置であっても、ガスバーナが点火した状態で点消火ボタンが戻らなくなって消火できない場合に、強制的にガスバーナを消火することができる。そして、消火した後は、戻らなくなった点消火ボタンはそのままでも、異常が発生していない他のガスバーナについて使用し続けることができる。
【図面の簡単な説明】
【００１６】
【図１】本発明によるガスコンロを正面から見た斜視図
【図２】ガスコンロ内の配管状態を示す図
【図３】火力調節装置の斜視図
【図４】位置センサであるマイクロスイッチの作動状態を示す図
【図５】操作パネルの一例を示す図
【発明を実施するための形態】
【００１７】
図１を参照して、１は本発明によるガスコンロ装置の一例である。このガスコンロ装置１の上面にはガラス製の天板１１が設けられており、その天板１１には３個のガスバーナ１１ａ、１１ｂ、１１ｃが設けられている。一方、このガスコンロ１の前面パネル１２には各ガスバーナ１１ａ、１１ｂ、１１ｃの点消火操作及び火力調節操作を行うための火力調節装置１３ａ、１３ｂ、１３ｃが設けられている。また、前面パネル１２の略中央にはグリル庫１４が設けられており、グリル庫１４内には上火バーナ１４ａと下火バーナ１４ｂとが設置されている。そして、上火バーナ１４ａと下火バーナ１４ｂの点消火及び火力調節は火力調節装置１５によって行われる。そして、その他の操作を行うための操作スイッチは操作パネル１０内に格納されている。この操作パネル１０は上部を軽く押し込むとストッパが解除されて手前に開くように構成されている。
【００１８】
図２を参照して、本実施の形態では、ガスの供給管路は４本に並列に分岐され、その分岐された供給管路の各々に火力調節装置１３ａ、１３ｂ、１３ｃ，１５が設けられている。そのうちの火力調節装置１３ａを例に説明すると、火力調節装置１３ａ内には点消火を行うための開閉弁部２と火力調節を行うための流量調節部３とを備えている。
【００１９】
開閉弁部２内には手動操作により開弁される元弁２１ａと電磁安全弁の弁体２２ａとが直列に設けられている。一方、流量調節部３には電動アクチュエータとしてモータ３１が連結されており、モータ３１を駆動させることにより流量を増減するように構成されている。なお、火力調節装置１３ｂ、１３ｃは共に火力調節装置１３ａと同じ構造であるが、火力調節装置１５は開閉弁部２は同じ構造であるものの流量調節部３の構造が他のものと相違する。
【００２０】
火力調節装置１５の流量調節部３は並列な２系統に分岐され、その各々に電磁力によって開閉する開閉弁１５ａ、１５ｂが設けられ、かつ、両開閉弁１５ａ、１５ｂをバイパスするオリフィス１６が設けられている。従って、例えば開閉弁１５ａが開弁すれば上火バーナ１４ａの火力は強火になり、開閉弁１５ａが閉弁すればオリフィス１６を通るガスによって弱火になる。
【００２１】
図３および図４を参照して、引き続き火力調節装置１３ａを例に、火力調節装置１３ａの構造を説明する。
【００２２】
４は操作つまみであり、点消火時に押し込まれ、また火力調節時には外周面をつままれて回動されるものである。操作つまみ４自体は手前が閉じられた円筒形状で有り、その内部に嵌まる円筒状のガイド部４２によって前後方向に移動できるようにガイドされている。また、バネ４３の付勢力によって常に手前側に向かって付勢されている。操作つまみ４が消火位置から付勢力に抗して押し込まれると、角筒状のガイド部材５内に収納されている部材に設けられたドッグ６が、この部材と共に押されて奥側に移動する。そして、ドッグ６が設けられている部材は奥に向かって移動することにより、開閉弁部２内に収納されている元弁と電磁安全弁の弁体とを強制的に開弁させて、同じく電磁安全弁内に収納されている電磁石にその弁体を押接させる。
【００２３】
図示しない制御部からその電磁石に直流電力が供給されると電磁石は励磁して弁体を開弁状態に吸着保持する。その状態で操作つまみ４に対する押し込み力を解除すると、操作つまみ４は上記付勢力によって手前側の火力調節位置まで突出する。消火する際には、操作つまみ４を消火位置を越えるまで一旦押し込んで押し込み力を解除すると、元弁と電磁安全弁とが閉弁されるとともに操作つまみ４は消火位置まで戻ってその位置で保持される。
【００２４】
操作つまみ４が火力調節位置まで突出している状態で操作つまみ４を回動すると、ギヤトレインを介して回転センサであるロータリーエンコーダ４１の回転軸が回転して、操作つまみ４の回動量に比例したパルス信号を上記制御部に出力する。制御部はこのパルス信号を受信すると、火力調節部３のモータ３１を駆動して、流量を調節するように構成されている。
【００２５】
ガイド部材５の正面から見て左側面にはドッグ６の前後位置によってオンオフする２つの接点を内蔵したマイクロスイッチ５１が取り付けられている。このマイクロスイッチ５１には２個の接点ＳＷ１，ＳＷ２が設けられている。接点ＳＷ１は制御部への通電を開始する位置を検知するための位置センサで有り、接点ＳＷ２は点火位置まで押し込まれていることを検知する位置センサである。
【００２６】
図４に示すように、ドッグ６が手前から奥に向かって移動すると、最初に接点ＳＷ１がＯＮになる。さらに操作つまみ４を押し込んで操作つまみ４が点火位置に到達すると、接点ＳＷ２がオンする。なお、点火位置で操作つまみ４に対する押し込み力を解除すると、上述のように操作つまみ４は火力調節位置まで手前側に後退して突出するが、ドッグ６が形成されている部材は図示しないストッパ機構によって、接点ＳＷ１がオン状態となる位置まで戻った状態で保持される。
【００２７】
図に示すように、マイクロスイッチ５１はガイド部材５の側面に形成された３本の爪５ａで抱き込まれるようにして固定されている。なお、２本の突起５ｂがマイクロスイッチ５１に形成されている取り付け穴に挿通されることによりマイクロスイッチ５１の位置決めを行っている。従って、マイクロスイッチ５１をガイド部材５に取り付ける際にネジを使用していない。
【００２８】
操作つまみ４が消火位置にある状態ではドッグ６はプランジャ部５１ａを押し下げていないので、マイクロスイッチ５１に内蔵されている接点ＳＷ１，ＳＷ２は共にオフの状態になっている（図４（ａ））。この状態から、操作つまみ４が押し込まれると、ドッグ６は後方、すなわち図４では左側に移動するので、ドッグ６は（ｂ）に示すように、プランジャ部５１ａを押し下げ、接点ＳＷ１をオンにする。この時点では、接点ＳＷ２はオフのままである。
【００２９】
さらに操作つまみ４を点火位置まで押し込むと、（ｃ）に示すように、ドッグ６はプランジャ部５１ａをさらに押し込み、接点ＳＷ２をオンにする。
【００３０】
上記接点ＳＷ１がＯＮになると、図外の制御部に通電が開始される。本実施の形態のガスコンロ１は作動用の電源として乾電池を内蔵している。すべての操作つまみ４が消火位置にある状態では、制御部を作動させる必要がないので、制御部への通電は停止している。そして、いずれかの操作つまみ４が点火すべく押し込まれると、点火位置に到達する前に、図４(ｂ)に示すように、接点ＳＷ１がオンとなって制御部に通電が開始され、続いて接点ＳＷ２がＯＮになることによって、その操作つまみ４が点火位置まで押し込まれたことを制御部が検知することになる。なお、既にいずれかの操作つまみ４が火力調節位置に有り、制御部に通電されている状態で他の操作つまみ４が押し込まれ、新たに接点ＳＷ１がオンになった場合、制御部には既に通電されているので、制御部は新たに接点ＳＷ１がオンになったことを検知する。
【００３１】
上述のような構成で、操作つまみ４を押し込んでガスバーナに点火を行い、その後、操作つまみ４から指を離せば、上述のようにバネ４３の付勢力で操作つまみ４は手前に戻ってくるはずであるが、ガイド部４２と操作つまみ４との間に煮こぼれ等が進入して粘度の高いものに変化していると、操作つまみ４は手前に戻ってくることができなくなる場合が生じる。そうなると、ガスバーナは燃焼しているが、再度操作つまみ４を押し込んでもガスバーナは消火しない状態になる。
【００３２】
このような場合のために別途制御部に対して消火指令を入力するための消火スイッチを設けてもよいが、本実施の形態では、上記操作パネル１０に設けられた各種操作スイッチに対して一定の操作をすることにより制御部に消火指令が入力されるようにした。
【００３３】
操作スイッチは、例えば図５に示すようなものであり、このような操作スイッチでは、例えば２個ある湯わかしボタン１ａのいずれかと炊飯ボタン１ｂとを同時押しして０．５秒経過したときに、制御部は消火指令がされたものとして消火処理をするようにプログラムしておくことが考えられる。
【００３４】
このように制御部に消火指令が入力されると、制御部はすべてのガスバーナについて設けられている電磁安全弁の電磁石への通電を停止する。すると、燃焼中のすべてのガスバーナが一斉に消火される。その後、操作つまみ４について異常が生じていないガスバーナは再点火して使用を継続することができる状態になり、操作つまみ４が戻らなくなったガスバーナについては、途中位置で止まっている操作つまみ４を再度押し込んでもガスバーナは点火せず、従って使用を継続できなくなる。なお、操作つまみ４に対する固着や粘着が解消されれば、他のガスバーナと同じく再び点火して使用することができる状態になる。
【００３５】
ところで、上記実施の形態では、１つの操作つまみに点消火機能と火力調節機能の双方の機能を具備させたが、点消火機能は操作つまみで行い、火力調節機能は、例えば、タクタイルスイッチ等別個の操作部で行うようにしてもよい。
【００３６】
なお、本発明は上記した形態に限定されるものではなく、本発明の要旨を逸脱しない範囲内において種々の変更を加えてもかまわない。
【符号の説明】
【００３７】
１ ガスコンロ
２ 開閉弁部
３ 流量調節部
４ 操作つまみ
５ ガイド部材
１３ａ 火力調節装置
１３ｂ 火力調節装置
１５ 火力調節装置
３１ モータ
４１ ロータリーエンコーダ
４２ ガイド部
５１ マイクロスイッチ
６ ドッグ
ＳＷ１ 接点
ＳＷ２ 接点
【図１】
0006000311.tif 000002
【図２】
0006000311.tif 000003
【図３】
0006000311.tif 000004
【図４】
0006000311.tif 000005
【図５】
0006000311.tif 000006